(57)【要約】    【課題】  主として屋外のゴミ等を集める上で、箒と熊手の両方を用いる煩雑さを解消し得る清掃具の提供。    【解決手段】  柄部Ｓと箒部Ｂと熊手部Ｒを備える。箒部Ｂと熊手部Ｒは、熊手部Ｒの先端の掻き爪部Ｒ２ａが箒部Ｂとは逆側を向き、且つ、箒部Ｂにおける掃き部Ｂａの先端部が下端に位置した状態で、箒部Ｂが水平面に対し垂直状をなす状態から熊手部Ｒの側へ２０度傾斜した状態となることにより、熊手部Ｒの先端の掻き爪部Ｒ２ａが、水平面よりも上方に位置する状態から水平面に接するに至るよう柄部Ｓに対し直接又は間接に着脱可能である。【選択図】      図１１
2019097592.tif 000002
【特許請求の範囲】
【請求項１】
柄部と、
仮想的な平面である所定平面の両側に位置する多数の線状体が束ねられて形成され、それらの線状体の自由端部が集合してなる先端部を備えた掃き部を有する箒部と、
その箒部の掃き部に対し前記所定平面の一方の側の先端側に、間隔おきに隣接する掻き爪部からなる掻き爪部群を有してなる熊手部
を備えてなる清掃具であって、
前記箒部と熊手部は、
熊手部の先端側の前記掻き爪部が前記所定平面側とは逆側に突起し、
且つ、
箒部における掃き部の先端部が下端に位置した状態で、前記所定平面が、水平面に対し垂直状をなす状態から前記掻き爪部群の側へ所定角度傾斜した状態となることにより、熊手部の先端側の掻き爪部が、前記水平面よりも上方に位置する状態から前記水平面に接するに至るよう
柄部に対し直接又は間接に固定されているか又は着脱可能であることを特徴とする清掃具。
【請求項２】
箒部及び熊手部の両方又は一方が、柄部に対し直接又は間接に着脱可能である請求項１記載の清掃具。
【請求項３】
柄部に対し箒部が着脱可能であり、熊手部は、柄部に対し結合された箒部に対し着脱可能なものである請求項１記載の清掃具。
【請求項４】
箒部及び熊手部のうち一方の基部が、柄部の先端部に外嵌して着脱可能に結合し得る基端側開口の内側嵌合筒状部からなり、箒部及び熊手部のうち他方の基部が、内側嵌合筒状部に外嵌して柄部に対し前記一方を介して間接に着脱可能に結合し得る外側嵌合筒状部である請求項１記載の清掃具。
【請求項５】
上記箒部が、所定平面に沿って位置する多数の線状体が束ねられて形成されたものである請求項１乃至４の何れか１項に記載の清掃具。
【請求項６】
上記掻き爪部が、板状断面部と、その板状断面部の裏側に、軸線に沿って形成されたリブ状の補強部からなり、掻き爪部の先端部はリブ状の補強部を有しない板状をなすものである請求項１乃至５の何れか１項に記載の清掃具。
【請求項７】
柄部に対し箒部が着脱可能に又は不能に結合され、熊手部は、柄部に対し直接又は間接に着脱可能であり、箒部に対し先端側に向かって離脱し得ないように箒部によって基端側向きに支持され得るものである請求項１乃至６の何れか１項に記載の清掃具。
【請求項８】
熊手部が、箒部によって所定平面に直交状をなす表向き及び裏向き、両側内向き並びに先端側向きに支持され得るものである請求項７記載の清掃具。
【発明の詳細な説明】
【技術分野】
【０００１】
本発明は、主として屋外のゴミ等を集めるために用いる清掃具に関する。
【背景技術】
【０００２】
屋外の清掃において、例えば、芝生のような場所に落ちている枯葉を集めるような場合は熊手部を用い、土の上や舗装箇所のゴミや枯葉等は、箒を用いて清掃を行う。
【０００３】
しかしながら、清掃対象箇所のこのような状況は、混在することも多く、箒と熊手の両方を使うのは煩雑である。
【０００４】
実開平５−７４４５７号公報には、頂部閉塞筒状部に続けて設けた内包部の先端に熊手兼箒保持具を設けた内包部材と、前記頂部閉塞筒状部に挿入可能な柄に前記内包部に収納可能な刷毛部を連接した箒と、前記頂部閉塞筒状部に外挿可能な開口を設け、該開口に続けて前記内包部材の内包部を被覆可能に構成した塵取兼外包部材からなる組合せ清掃器具が示されている。
【０００５】
この組合せ清掃器具の使用に当たっては、各々を分離し、箒はそのまま使用し、熊手は内包部材を裏返して使用し、外包部材は塵取りとして使用するものとされている。
【０００６】
実開平５−７４４５７号公報の清掃器具は、熊手兼箒保持具を設けた内包部材と箒をまとめて収納することができるが、使用においては分離することを要する。
【先行技術文献】
【特許文献】
【０００７】
【特許文献１】実開平５−７４４５７号公報
【発明の概要】
【発明が解決しようとする課題】
【０００８】
本発明は、主として屋外のゴミ等を集める上で、箒と熊手の両方を用いる煩雑さを解消し得る清掃具を提供することを目的とする。
【課題を解決するための手段】
【０００９】
本発明の清掃具は、次のように表すことができる。
【００１０】
(1) 柄部と、
仮想的な平面である所定平面の両側に位置する多数の線状体が束ねられて形成され、それらの線状体の自由端部が集合してなる先端部を備えた掃き部を有する箒部と、
その箒部の掃き部に対し前記所定平面の一方の側の先端側に、間隔おきに隣接する掻き爪部からなる掻き爪部群を有してなる熊手部
を備えてなる清掃具であって、
前記箒部と熊手部は、
熊手部の先端側の前記掻き爪部が前記所定平面側とは逆側に突起し、
且つ、
箒部における掃き部の先端部が下端に位置した状態で、前記所定平面が、水平面に対し垂直状をなす状態から前記掻き爪部群の側へ所定角度傾斜した状態となることにより、熊手部の先端側の掻き爪部が、前記水平面よりも上方に位置する状態から前記水平面に接するに至るよう
柄部に対し直接又は間接に固定されているか又は着脱可能であることを特徴とする清掃具。
【００１１】
この清掃具は、共通の柄部に対し直接又は間接に固定されているか又は着脱可能である箒部と熊手部を備えるものであり、箒部と熊手部は、柄部に対し、次のように直接又は間接に固定されているか又は着脱可能である。
【００１２】
すなわち、箒部と熊手部は、
熊手部の先端側の掻き爪部群が、箒部の掃き部に対し、箒部を構成する束ねられた線状体が両側に位置する所定平面の一方の側に位置し、
熊手部の先端側の掻き爪部が、所定平面側とは逆側に突起し、
且つ、
箒部における掃き部の先端部が下端に位置した状態で、前記所定平面が、水平面に対し垂直状をなす状態から掻き爪部群の側へ所定角度傾斜した状態となることにより、熊手部の先端側の掻き爪部が、前記水平面よりも上方に位置する状態から前記水平面に接するに至るよう
柄部に対し直接又は間接に固定されているか又は着脱可能である。
【００１３】
箒部と熊手部が、共通の柄部に対し、このように固定されているか又は着脱可能に結合されている場合、箒部を使用する際における柄部の軸線に対する角度と熊手部を使用する際における柄部の軸線に対する角度は異なるので、清掃対象箇所に対する柄部の角度を変えれば、箒部と熊手部と使い分けることができる。
【００１４】
例えば水平面に沿った清掃対象箇所の清掃においては、一般に、箒部による清掃は、前記所定平面がその水平面に対し垂直状をなす状態を基本姿勢として行われ、熊手部による清掃は、前記所定平面が、その水平面に対し垂直状をなす状態から熊手部の掻き爪部群の側へ所定角度より大きく傾斜した状態（又は所定角度傾斜した状態）を基本姿勢として行われる。
【００１５】
このように、一つの清掃具で、清掃対象箇所の状態に応じ、柄部の角度や向きを変えて箒部と熊手部を随時使い分けることにより、効率良く清掃を行うことができる。例えば芝生のような場所に落ちている枯葉を集めるような場合は熊手部を用い、土の上や舗装箇所のゴミや熊手部で土の上や舗装箇所まで移動させた枯葉等は、箒を用いて清掃を行うことができる。
【００１６】
また、柄部に対し箒部と熊手部の一方又は両方が着脱可能である場合は、取り外した箒部又は熊手部で、柄部が邪魔になるような狭い箇所や入り組んだ箇所の清掃を行うことができると共に、箒部又は熊手部の一方を取り外して他方が柄部に固定又は着脱可能に結合した状態で柄部と共に当該他方を使用して清掃を行うこともできる。
【００１７】
(2) 箒部及び熊手部の両方又は一方が、柄部に対し直接又は間接に着脱可能である上記(1)記載の清掃具。
【００１８】
(3) 柄部に対し箒部が着脱可能であり、熊手部は、柄部に対し結合された箒部に対し着脱可能なものである上記(1)記載の清掃具。
【００１９】
(4) 箒部及び熊手部のうち一方の基部が、柄部の先端部に外嵌して着脱可能に結合し得る基端側開口の内側嵌合筒状部からなり、箒部及び熊手部のうち他方の基部が、内側嵌合筒状部に外嵌して柄部に対し前記一方を介して間接に着脱可能に結合し得る外側嵌合筒状部である上記(1)記載の清掃具。
【００２０】
(5) 上記箒部が、所定平面に沿って位置する多数の線状体が束ねられて形成されたものである上記(1)乃至(4)の何れか１項に記載の清掃具。
【００２１】
(6) 上記掻き爪部が、板状断面部と、その板状断面部の裏側に、軸線に沿って形成されたリブ状の補強部からなり、掻き爪部の先端部はリブ状の補強部を有しない板状をなすものである上記(1)乃至(5)の何れか１項に記載の清掃具。
【００２２】
(7) 柄部に対し箒部が着脱可能に又は不能に結合され、熊手部は、柄部に対し直接又は間接に着脱可能であり、箒部に対し先端側に向かって離脱し得ないように箒部によって基端側向きに支持され得るものである上記(1)乃至(6)の何れか１項に記載の清掃具。
【００２３】
(8) 熊手部が、箒部によって所定平面に直交状をなす表向き及び裏向き、両側内向き並びに先端側向きに支持され得るものである上記(7)記載の清掃具。
【発明の効果】
【００２４】
本発明の清掃具によれば、一つの清掃具で、清掃対象箇所の状態に応じ、柄部の角度や向きを変えて箒部と熊手部を随時使い分けることにより、効率良く清掃を行うことができる。例えば芝生のような場所に落ちている枯葉を集めるような場合は熊手部を用い、土の上や舗装箇所のゴミや熊手部で土の上や舗装箇所まで移動させた枯葉等は、箒を用いて清掃を行うことができる。
【００２５】
また、柄部に対し箒部と熊手部の一方又は両方が着脱可能である場合は、取り外した箒部又は熊手部で、柄部が邪魔になるような狭い箇所や入り組んだ箇所の清掃を行うことができると共に、箒部又は熊手部の一方を取り外して他方が柄部に固定又は着脱可能に結合した状態で柄部と共に当該他方を使用して清掃を行うこともできる。
【図面の簡単な説明】
【００２６】
【図１】柄部の一部省略側面図である。
【図２】柄部の要部斜視図である。
【図３】箒部の上方斜視図である。
【図４】箒部の平面図である。
【図５】熊手部の正面側上方斜視図である。
【図６】熊手部の正面側下方斜視図である。
【図７】熊手部の側面図である。
【図８】熊手部の背面側上方斜視図である。
【図９】柄部と結合した箒部の下方斜視図である。
【図１０】柄部と箒部と熊手部が結合した清掃具の下方斜視図である。
【図１１】柄部と箒部と熊手部が結合した清掃具の側面図である。
【発明を実施するための形態】
【００２７】
[1] 本発明の実施の形態を、図面を参照しつつ説明する。
【００２８】
図面は何れも本発明の清掃具の実施の形態の例を示すものである。
【００２９】
(1) この清掃具Ｃは、柄部Ｓと箒部Ｂと熊手部Ｒを備える。
【００３０】
(2) 柄部Ｓは、直線に沿った鋼製のパイプに合成樹脂製の被覆を施した筒状体Ｓ１の先端部側に、筒状体Ｓ１と同軸状に箒部結合部Ｓａが設けられている。
【００３１】
箒部結合部Ｓａには、径方向に弾性的に突起する係止突部Ｓ２が設けられている。
【００３２】
また箒部結合部Ｓａの先端部の外周部における柄部Ｓの軸線まわりの１８０度中心角を隔てる２箇所に嵌合凹部Ｓ３が形成されている。
【００３３】
なお、柄部Ｓは、基端部に、吊り下げ部を備えた合成樹脂製の端部部材Ｓ４を有するものとすることができる。
【００３４】
(3) 箒部Ｂは、掃き部Ｂａと、掃き部Ｂａの基端中央部に突設された内側嵌合筒状部Ｂ３を有する。
【００３５】
掃き部Ｂａは、図１１に示される仮想的な平面である所定平面Ｐに沿って多数の線状体Ｂ２（ニガシダ繊維）が略等脚台形状（基端部側が短い上底で先端部側が長い下底）に束ねられて形成されている。
【００３６】
掃き部Ｂａにおける線状体Ｂ２は、掃き部Ｂａの基端側において束ねられ、掃き部Ｂａの基端部側は、合成樹脂製のカバー部Ｂ１により覆われている。
【００３７】
掃き部Ｂａの先端部は、束ねられた線状体Ｂ２の自由端部が集合してなるものである。
【００３８】
内側嵌合筒状部Ｂ３は、掃き部Ｂａの基端中央部に、掃き部Ｂａの先端から基端に向かう向きに突設されている。
【００３９】
内側嵌合筒状部Ｂ３は、柄部Ｓの先端部における箒部結合部Ｓａに対し、外嵌して着脱可能に結合し得る。
【００４０】
内側嵌合筒状部Ｂ３の周壁部には、径方向に貫通する箒部係止孔Ｂ４が設けられている。箒部係止孔Ｂ４は、内側嵌合筒状部Ｂ３の軸線まわりの１８０度中心角を隔てる２箇所における軸線方向の同じ位置に設けられているが、これに限るものではない。
【００４１】
柄部Ｓの先端部に設けられている箒部結合部Ｓａを、係止突部Ｓ２を弾性的に径方向内方に変位させつつ箒部Ｂの内側嵌合筒状部Ｂ３に内嵌し、係止突部Ｓ２を箒部係止孔Ｂ４の内側に位置させることにより、係止突部Ｓ２が径方向外方に弾性的に突起して箒部係止孔Ｂ４と係合する。これにより、柄部Ｓの先端部に箒部Ｂを着脱可能に結合させることができる。
【００４２】
内側嵌合筒状部Ｂ３の奥部の内周部における軸線まわりの１８０度中心角を隔てる２箇所には、嵌合凸部Ｂ５が形成されている。この嵌合凸部Ｂ５に、柄部Ｓの箒部結合部Ｓａの先端部の外周部に形成された嵌合凹部Ｓ３が嵌合することにより、柄部Ｓと箒部Ｂの内側嵌合筒状部Ｂ３が軸線のまわりに相対回転することが防がれる。
【００４３】
箒部Ｂが柄部Ｓから外されて単独で用いられる場合、内側嵌合筒状部Ｂ３を把手として箒部Ｂを清掃に用いることができる。
【００４４】
(4) 熊手部Ｒは、合成樹脂製であり、本体部Ｒａと、本体部Ｒａの基端中央部に突設された外側嵌合筒状部Ｒ４を有する。
【００４５】
本体部Ｒａは、板状部Ｒ１と、枝状部Ｒ２と、支持部Ｒ３を有する。
【００４６】
板状部Ｒ１は、基部側が上底で先端側が上底よりも長い下底であるほぼ等脚台形状をなす。
【００４７】
板状部Ｒ１の等脚状をなす両側辺を基端向きに延ばした交点を中心として板状部Ｒ１に沿う扇形状面を仮想した場合に、板状部Ｒ１の先端部側から、前記仮想的な扇形状面の径方向に伸びるよう多数形成されているのが枝状部Ｒ２である。枝状部Ｒ２の先端部は、前記交点を中心とする円弧上において、ほぼ周方向等間隔おきに位置している。
【００４８】
各枝状部Ｒ２の先端側には、前記扇形状面に対し一方の側に突起する掻き爪部Ｒ２ａが形成されている。これにより、仮想的な一定平面に対し一定の側に鉤状に突起した掻き爪部Ｒ２ａが、前記一定平面内の円弧状の曲線に沿って間隔おきに位置する掻き爪部Ｒ２ａ群が形成されている。
【００４９】
各枝状部Ｒ２は、前記扇形状面及びその扇形状面に対し各掻き爪部Ｒ２ａに沿って屈曲した仮想平面にそれぞれ平行状をなす平板状断面部と、その平板状断面部の裏側（掻き爪部Ｒ２ａが突起する側）に、各枝状部Ｒ２の軸線に沿って（好ましくは平板状断面部の幅方向中央部に）形成されたリブ状の補強部Ｒ２ｃからなる。
【００５０】
但し、各枝状部Ｒ２における掻き爪部Ｒ２ａの先端部である爪先部Ｒ２ｂは、対象物を掻き集める効率を高める上で、リブ状の補強部Ｒ２ｃを有しない平板状をなす。
【００５１】
支持部Ｒ３は、板状部Ｒ１に対し前記扇形状面に対し掻き爪部Ｒ２ａ群が突起する向きとは逆向きに（表側に）立ち上がるように板状部Ｒ１の基部側に設けられた基方離脱防止部Ｒ３ａと、板状部Ｒ１に対し表側に立ち上がるように板状部Ｒ１の両側に設けられた側方保持部Ｒ３ｂと、各側方保持部Ｒ３ｂの先端側部分から更に表側に立ち上げられ且つ内側に屈曲した外方保持部Ｒ３ｃと、各側方保持部Ｒ３ｂの先端側に内向きに突起形成された先方保持部Ｒ３ｄを有してなる。
【００５２】
外方保持部Ｒ３ｃ及び先方保持部Ｒ３ｄを有する各側方保持部Ｒ３ｂは、その先端側部分が基部側部分に対し、それぞれ側方にやや拡開し得るように片持状に弾性的に支持されている。
【００５３】
板状部Ｒ１の表側の両側部近傍には、それぞれ、基部側から先端部側に延びるリブ状支持部Ｒ１ａが設けられている。
【００５４】
外側嵌合筒状部Ｒ４は、本体部Ｒａの基端中央部に、本体部Ｒａの先端から基端に向かう向きに突設されている。
【００５５】
外側嵌合筒状部Ｒ４は、箒部Ｂの内側嵌合筒状部Ｂ３に外嵌し得、外側嵌合筒状部Ｒ４の周壁部には、径方向に貫通する熊手部係止孔Ｒ５が、箒部係止孔Ｂ４に対応するように設けられている。熊手部係止孔Ｒ５は、外側嵌合筒状部Ｒ４の軸線まわりの１８０度中心角を隔てる２箇所に設けられているが、これに限るものではない。
【００５６】
(5) 箒部係止孔Ｂ４と熊手部係止孔Ｒ５の位置が一致するように、箒部Ｂの内側嵌合筒状部Ｂ３に外側嵌合筒状部Ｒ４を外嵌するようにして箒部Ｂと熊手部Ｒを組み合わせることにより、箒部Ｂと熊手部Ｒが互いに保持される。その過程において熊手部Ｒの各側方保持部Ｒ３ｂの少なくとも先端側部分がそれぞれ弾性的に外側方にやや拡開する。
【００５７】
箒部Ｂと熊手部Ｒが互いに保持された場合、
熊手部Ｒの板状部Ｒ１の表側のリブ状支持部Ｒ１ａが箒部Ｂの掃き部Ｂａのカバー部Ｂ１のうち所定平面Ｐに平行状をなす裏面部（図１０におけるカバー部Ｂ１の裏面側）に接し（これにより熊手部Ｒは箒部Ｂによって所定平面Ｐに直交状をなす方向における裏向きに支持され得る）、
熊手部Ｒの支持部Ｒ３における基方離脱防止部Ｒ３ａがカバー部Ｂ１のうち基部側部分（図１０におけるカバー部Ｂ１の上側）に接し（これにより熊手部Ｒは箒部Ｂに対し先端側に向かって離脱し得ないように箒部Ｂによって基端側向きに支持され得る）、
熊手部Ｒの各側方保持部Ｒ３ｂの内側がカバー部Ｂ１のうち両側部に接し（これにより熊手部Ｒは箒部Ｂによって両側外向きに支持され得る）、
熊手部Ｒの各外方保持部Ｒ３ｃの内側がカバー部Ｂ１の表面部（図１０におけるカバー部Ｂ１の表面側）の両側部に接し（これにより熊手部Ｒは箒部Ｂによって所定平面Ｐに直交状をなす方向における表向きに支持され得る）、
熊手部Ｒの各側方保持部Ｒ３ｂの先端側に内向きに突起形成された先方保持部Ｒ３ｄの基端側が、カバー部Ｂ１の両側部の先端側（図１０におけるカバー部Ｂ１の下側）に接する（これにより熊手部Ｒは箒部Ｂによって先端側向きに支持され得る）
という状態をなす。
【００５８】
このように箒部Ｂの内側嵌合筒状部Ｂ３に外側嵌合筒状部Ｒ４が外嵌して箒部Ｂと熊手部Ｒが互いに保持された状態において、柄部Ｓの先端部に設けられている箒部結合部Ｓａを、係止突部Ｓ２を弾性的に径方向内方に変位させつつ箒部Ｂの内側嵌合筒状部Ｂ３に内嵌して係止突部Ｓ２を箒部係止孔Ｂ４の内側に位置させることにより、係止突部Ｓ２が径方向外方に弾性的に突起して箒部係止孔Ｂ４と係合する。同時に、箒部結合部Ｓａに形成された２箇所の嵌合凹部Ｓ３に、内側嵌合筒状部Ｂ３における２箇所の嵌合凸部Ｂ５が嵌合することにより、柄部Ｓと箒部Ｂの内側嵌合筒状部Ｂ３が軸線のまわりに相対回転することが防がれる。
【００５９】
これにより、柄部Ｓの先端部に箒部Ｂ及び熊手部Ｒを着脱可能に結合させることができる。
【００６０】
なお、係止突部Ｓ２が径方向外方に弾性的に突起して箒部係止孔Ｂ４及びその径方向外方の熊手部係止孔Ｒ５の双方と係合するものとすることもできる。
【００６１】
何れの場合も、柄部Ｓと箒部Ｂを先ず結合させ、柄部Ｓをその基端側から熊手部Ｒの外側嵌合筒状部Ｒ４に挿通させて熊手部Ｒを同様に結合させることもできる。熊手部Ｒ及び箒部Ｂを柄部Ｓから取り外す場合も、必要時に係止突部Ｓ２を弾性的に径方向内方に変位させつつ、例えば熊手部Ｒのみ又は熊手部Ｒ及び箒部Ｂの両方を柄部Ｓから取り外すことができる。
【００６２】
柄部Ｓの先端部に箒部Ｂ及び熊手部Ｒを着脱可能に結合した状態においては、熊手部Ｒの掻き爪部Ｒ２ａ群は箒部Ｂの掃き部Ｂａに対し前記所定平面Ｐの一方の側に位置し、熊手部Ｒの板状部Ｒ１と、箒部Ｂの掃き部Ｂａにおける多数の線状体Ｂ２が沿う所定平面Ｐが、平行状をなし、熊手部Ｒの先端部の掻き爪部Ｒ２ａが、所定平面Ｐ側とは逆側に突起している。
【００６３】
熊手部Ｒの先端部の掻き爪部Ｒ２ａを下向きにし、柄部Ｓを基端部が手前側に位置するように傾斜させた状態で柄部Ｓを基端側に引いて掻き爪部Ｒ２ａ群により対象物を掻き集めるように熊手部Ｒを使用する場合、箒部Ｂの掃き部Ｂａのカバー部Ｂ１が熊手部Ｒの基方離脱防止部Ｒ３ａを斜め上向き（基端側向き）に支持する状態で使用され、熊手部Ｒが箒部Ｂから離脱することが避けられる。
【００６４】
一方、柄部Ｓを垂直又はそれに近い状態として箒部Ｂの掃き部Ｂａを使用する場合、熊手部Ｒが基方離脱防止部Ｒ３ａにおいて掃き部Ｂａのカバー部Ｂ１によりほぼ上向きに支持される状態で使用される。
【００６５】
熊手部Ｒが柄部Ｓから外されて単独で用いられる場合、外側嵌合筒状部Ｒ４を把手として熊手部Ｒを清掃に用いることができる。
【００６６】
(6) このように柄部Ｓの先端部に箒部Ｂ及び熊手部Ｒを着脱可能に結合し、箒部Ｂにおける掃き部Ｂａの先端部が下端に位置した状態で、前記所定平面Ｐが、水平面に対し垂直状をなす状態から熊手部Ｒの側へ約２０度傾斜した状態となることにより、熊手部Ｒの先端の掻き爪部Ｒ２ａが、前記水平面よりも上方に位置する状態から前記水平面に接するに至る。
【００６７】
水平面に沿った清掃対象箇所の清掃においては、箒部Ｂによる清掃は、例えば、前記所定平面Ｐがその水平面に対し垂直状をなす状態（９０度）を基本姿勢とし、±２０度程度の範囲で行うことができ、熊手部Ｒによる清掃は、例えば、前記所定平面Ｐが、その水平面に対し垂直状をなす状態から水平面に対し５０度傾斜した状態を基本姿勢とし、±２０度程度の範囲で行うことができる。
【００６８】
[2] 本発明の実施の形態を、上記以外の形態を含めて更に説明する。
【００６９】
(1) 本発明の清掃具は、柄部と箒部と熊手部を備えてなる。更にその他の用具や部位等を備えるものであってもよい。
【００７０】
(2) 柄部は、直線に沿ったパイプ状又は棒状をなすものが好ましいが、これに限るものではない。
【００７１】
柄部は、例えば、鋼製又はステンレス鋼製のパイプに合成樹脂製の被覆を施したものを主体とするものや、合成樹脂製、木製、竹製とすることができる。
【００７２】
柄部には、箒部及び熊手部の一方又は両方と着脱可能に結合するための箒部結合部（例えば径方向に弾性的に突起する係止突部のような弾性的な変形による係止部やその他の係止部）を、例えば先端部等に、有するものとすることができる。
【００７３】
(3) 箒部は、仮想的な平面である所定平面の両側に位置する多数の線状体が束ねられて形成され、それらの線状体の自由端部が集合してなる先端部を備えた掃き部を有してなる。
【００７４】
箒部は、所定平面に沿って位置する多数の線状体が束ねられて形成されたものであることが好ましい。
【００７５】
線状体の例としては、ニガシダ繊維（シダ箒）、ヤシの実の繊維（パーム箒）、シュロ、ポリプロピレン若しくはその他の合成樹脂繊維、これらの２種以上の混合若しくは併用（例えば、所定平面に対し一方の側に何れかの繊維の線状体群、所定平面に対し他方の側に、一方の側の線状体に比し屈曲変形しにくい他の何れかの繊維の線状体群を用いるもののように、所定平面に対し掃く向きにより、腰の強さが異なり、掃く向きを選択することにより清掃対象に適した清掃を行い得るもの）を挙げることができるがこれに限るものではない。
【００７６】
(4) 熊手部は、箒部の掃き部に対し前記所定平面の一方の側における先端側に、間隔おきに隣接する掻き爪部からなる掻き爪部群を有してなる。
【００７７】
掻き爪部が側方に間隔おきに隣接する掻き爪部群の形態としては、仮想的な一定平面に対し一定の側に鉤状に突起した掻き爪部が、前記一定平面内の円弧状の曲線や直線等に沿って、側方に間隔おきに（例えば、所定の中心位置に対し等中心角おきに）形成されたものを例示することができる。
【００７８】
熊手部としては、仮想的な一定平面に沿った仮想的な扇形状面の要の位置をほぼ中心として径方向に伸びるよう設けられた多数の枝状部が先端部に掻き爪部が形成された形態が一般的であるが、これに限るものではなく、例えば、先端部に掻き爪部を有する枝状部が多数平行状に設けられたものであってもよい。
【００７９】
各掻き爪部は、例えば、若干の横幅を有するものや、太線状（例えば針金状）をなすものとすることができる。掻き爪部の好ましい例としては、板状断面部と、その板状断面部の裏側（掻き爪部が突起する側）に、軸線に沿って（好ましくは板状断面部の幅方向中央部に）形成されたリブ状の補強部からなり、掻き爪部の先端部は、対象物を掻き集める効率を高める上で、リブ状の補強部を有しない板状をなすものを挙げることができる。
【００８０】
熊手部の材質は、例えば、合成樹脂製、木製、竹製、アルミニウム合金・鋼・ステンレス鋼等の金属製とすることができる。
【００８１】
(5) 箒部と熊手部は、
熊手部の先端側の前記掻き爪部が、箒部の掃き部に対し、箒部を構成する束ねられた線状体が両側に位置する所定平面の一方の側に位置し、
熊手部の先端側の前記掻き爪部が前記所定平面側とは逆側に突起し、
且つ、
箒部における掃き部の先端部（線状体の自由端の集合からなる掃き部の先端部）が下端に位置した状態で、前記所定平面が、水平面に対し垂直状をなす状態から熊手部の側へ所定角（例えば１０乃至３０度）度傾斜した状態となることにより、熊手部の先端部の掻き爪部が、前記水平面よりも上方に位置する状態から前記水平面に接するに至るよう
柄部に対し直接又は間接に固定されているか又は着脱可能である。
【００８２】
(5-1) 箒部と熊手部が、共通の柄部に対し、このように固定されているか又は着脱可能に結合されている場合、箒部を使用する際における柄部の軸線に対する角度と熊手部を使用する際における柄部の軸線に対する角度は異なるので、清掃対象箇所に対する柄部の角度を変えれば、箒部と熊手部と使い分けることができる。
【００８３】
例えば水平面に沿った清掃対象箇所の清掃においては、一般的に、箒部による清掃は、前記所定平面がその水平面に対し垂直状をなす状態（９０度）を基本姿勢とし、例えば±２０度程度の範囲で行われ、熊手部による清掃は、前記所定平面が、その水平面に対し垂直状をなす状態から熊手部の掻き爪部群の側へ所定角度より大きく傾斜した状態（例えば水平面に対し４５乃至６０度）を基本姿勢とし、例えば±２０度程度の範囲で行われる。
【００８４】
(5-2) 箒部と熊手部が柄部に対し直接又は間接に固定されているか又は着脱可能であるというのは、例えば、柄部に対し、
箒部と熊手部の両者が何れも直接に固定されている；
箒部と熊手部の両者が何れも直接に着脱可能である；
箒部と熊手部の一方が直接に固定されており、他方は直接に着脱可能である；
箒部と熊手部の一方が直接に固定されており、他方は間接に固定されている；
箒部と熊手部の一方が直接に固定されており、他方は間接に着脱可能である；
箒部と熊手部の両者が何れも間接に固定されている；
箒部と熊手部の両者が何れも間接に着脱可能である；
箒部と熊手部の一方が間接に固定されており、他方は間接に着脱可能である
の何れかである場合、或いは、これらにおいて、
柄部に対する箒部又は熊手部の固定が、直接の部分と間接の部分を有する場合
を意味する。
【００８５】
(5-3) 柄部に対し間接に固定されているか又は着脱可能であるというのは、柄部に対し固定されている箒部又は熊手部（着脱可能であって結合されている場合を含む）の一方に対し、他方が固定されてか又は着脱可能である場合、或いは、柄部に対し箒部又は熊手部以外のものを介して固定されているか又は着脱可能である場合を含むものとすることができる。
【００８６】
(5-4) 例えば、箒部及び熊手部の両方又は一方が、柄部に対し直接又は間接に着脱可能であるものとすることができる。
【００８７】
好ましい態様の一つは、柄部に対し箒部が着脱可能であり、熊手部は、柄部に対し結合された箒部に対し着脱可能なものである。
【００８８】
箒部及び熊手部の両方又は一方が、柄部に対し直接又は間接に着脱可能である場合、柄部に結合していない状態の箒部又は熊手部を単独で清掃に用い得るものとことができる。
【００８９】
(5-5) 好ましい態様としては、柄部に対し箒部が着脱可能に又は不能に結合され、熊手部は、柄部に対し直接又は間接に着脱可能であり、箒部に対し先端側に向かって離脱し得ないように箒部によって基端側向きに支持され得る態様を挙げることができる。
【００９０】
この場合、熊手部は、箒部が結合された柄部を基端側（箒部が結合される先端とは逆側）に向かって引いて熊手部の先端部の掻き爪部群により対象物を掻き集めるように使用されるので、少なくとも箒部によりこのように支持されることにより、熊手部が脱落することが防がれる。
【００９１】
(5-6) 箒部及び熊手部のうち一方の基部が、柄部の先端部に外嵌して着脱可能に結合し得る基端側開口の内側嵌合筒状部からなり、箒部及び熊手部のうち他方の基部が、内側嵌合筒状部に外嵌して柄部に対し前記一方を介して間接に着脱可能に結合し得る外側嵌合筒状部とすることもできる。
【符号の説明】
【００９２】
Ｂ      箒部
Ｂａ    掃き部
Ｂ１    カバー部
Ｂ２    線状体
Ｂ３    内側嵌合筒状部
Ｂ４    箒部係止孔
Ｂ５    嵌合凸部
Ｃ      清掃具
Ｐ      所定平面
Ｒ      熊手部
Ｒａ    本体部
Ｒ１    板状部
Ｒ１ａ  リブ状支持部
Ｒ２    枝状部
Ｒ２ａ  掻き爪部
Ｒ２ｂ  爪先部
Ｒ２ｃ  補強部
Ｒ３    支持部
Ｒ３ａ  基方離脱防止部
Ｒ３ｂ  側方保持部
Ｒ３ｃ  外方保持部
Ｒ３ｄ  先方保持部
Ｒ４    外側嵌合筒状部
Ｒ５    熊手部係止孔
Ｓ      柄部
Ｓａ    箒部結合部
Ｓ１    筒状体
Ｓ２    係止突部
Ｓ３    嵌合凹部
Ｓ４    端部部材
【図１】
2019097592.tif 000003
【図２】
2019097592.tif 000004
【図３】
2019097592.tif 000005
【図４】
2019097592.tif 000006
【図５】
2019097592.tif 000007
【図６】
2019097592.tif 000008
【図７】
2019097592.tif 000009
【図８】
2019097592.tif 000010
【図９】
2019097592.tif 000011
【図１０】
2019097592.tif 000012
【図１１】
2019097592.tif 000013